(57)【要約】      （修正有）【課題】  ２Ｇ、３Ｇシステム間の接続の自動切換をパラメータ化するための解決法の提供。【解決手段】  受信範囲のベストレベル、セカンドベストレベルに対応する無線セル区域を表すベストサーバーセル、セカンドベストサーバーセルのデータを、切り分けたネットワーク内の周波数帯階層表（Ｔ）内に発生させるために受信範囲データを用いる階層化過程、計算パラメータ構成ファイル（１０４）内への保存を含む過程、デュアルモード無線携帯端末によって第一システム内で用いる無線セル区域および「ソース」周波数帯の決定過程、この区域と決定された「ソース」周波数帯に対応するスターティングセルを階層表（Ｔ）内で選択する過程、第二システムに属し、前記スターティングセル（２１、２２）に近い候補セル（３１、３２）リストを階層表から生成する過程、選択基準に応じて到着セルを候補リストの中から選択する過程を含む。【選択図】図１
2006014320.tif 000002
【特許請求の範囲】
【請求項１】
デュアルモード無線携帯端末が情報機器（１）によってセルラー方式無線電話ネットワーク内に実現された世代の異なるシステムの間を移動するときに、該システムの間の接続の自動切換のパラメータ化を可能にするための２Ｇ−３Ｇ近傍計算法であって、
該方法は、ネットワーク（４）の基地局（４０）の送受信手段（４１）によって発生した複数の無線セルのネットワーク（４）の切り分けを含むモデル化予備過程（５０）から成り、
該切り分けは、セルのそれぞれの中で用いられる周波数帯を区別するものであり、
情報機器（１）は、ネットワークの全ての点における受信範囲のデータをメモリ手段の中に記憶するものであり、
該方法は、受信範囲のベストレベル、受信範囲のセカンドベストレベルにそれぞれ対応する無線セル区域（Ａ）を記載する指数をそれぞれ表すベストサーバーセル（Ｃ１）およびセカンドベストサーバーセル（Ｃ２）のデータを、切り分けられたネットワーク（４）内のそれぞれの周波数帯について、階層表（Ｔ）内に発生させるために受信範囲データを用いる階層化過程（５１）を含むことを特徴とする方法であって、
・計算パラメータ構成ファイル（１０４）内への保存を含む構成過程（５２）と、
・デュアルモード無線携帯端末によって第一システム内で用いられる無線セル区域（Ａ）および「ソース」周波数帯の決定過程（５３）と、それに続いて、この区域（Ａ）と決定された「ソース」周波数帯とに対応するスターティングセルを階層表（Ｔ）内で選択する過程と、
・第二システムに属し、前記スターティングセルに近い、候補セルのリストを階層表から生成する生成過程（５５）と、
・選択基準に応じて、到着セルを候補リストの中から選択する選択過程（５６）と、
を含むことを特徴とする方法。
【請求項２】
候補セルのリストの生成過程（５５）が、第二システムの近隣セル（３１、３２、３３）のそれぞれについて、スターティングセルとの重なり面積を計算する計算過程（５５０）と、対象近隣セル（３１、３２、３３）に組み合わされたジオマーケティングデータに応じた重なり面積の加重を計算する加重過程（５５２）とから成ることを特徴とする、請求項１に記載の方法。
【請求項３】
候補セルのリストの生成過程（５５）が、構成過程（５２）において、パラメータ化した百分率限界値（６０）より低いスターティングセルとの重なり百分率を有する第二システムの近隣セル（３１、３２、３３）の判別過程（５５１）から成ることを特徴とする、請求項１または２に記載の方法。
【請求項４】
階層化過程（５１）が、それぞれの周波数帯について、ベストサーバーセル（Ｃ１）の第一デジタルマップ（Ｍ１）およびセカンドベストサーバーセル（Ｃ２）の第二デジタルマップ（Ｍ２）の作成過程（５１０）から成り、
前記第一および第二マップ（Ｍ１、Ｍ２）は、周波数帯についてベストサーバーセル（Ｃ１）とセカンドベストサーバーセル（Ｃ２）の唯一の対を、ネットワーク（４）の任意の点に組み合わせるように、重なりのない別個の区域（Ａ）への切り分けを含んでいることを特徴とする、請求項１から３のいずれか一つに記載の方法。
【請求項５】
スターティングセルの選択過程（５４）が、決定された「ソース」周波数帯と端末が位置する区域（Ａ）に対応するベストサーバーセル（Ｃ１）および少なくともセカンドベストサーバーセル（Ｃ２）の、階層表内の事前選択から始まり、ついで事前選択されたセルのフィールドレベルが所定の第一最大限界値（６１）を超えるときだけスターティングセル（２１、２２）の選択に到達することを特徴とする、請求項１から４のいずれか一つに記載の方法。
【請求項６】
到着セルの選択過程（５６）が、候補のうち一つのフィールドレベルが第二限界値（６２）を超えるときだけ到着セルの選択に到るように、これらの候補のそれぞれのフィールドレベルを所定の第二限界値と比較することによって候補セルを確定する確定過程（５６０）から成ることを特徴とする、請求項１から５のいずれか一つに記載の方法。
【請求項７】
モデル化予備過程（５０）が、セルラー方式無線電話ネットワークのセルを、二つの異なる周波数帯を備えたＧＳＭ型の第一システムと、一つの周波数帯を備えたＷ−ＣＤＭＡ型の第二システムの間に配分する切り分けを含むことを特徴とする、請求項１から６のいずれか一つに記載の方法。
【請求項８】
前記第二システムが異なる周波数帯を備えているとき、優先定義過程で定義された優先レベル（７０、７１、７２）が、候補セルのリスト内の前記選択過程（５６）の際の選択基準に用いるために、この第二システムの周波数帯のそれぞれに組み合わせられることを特徴とする、請求項１から７のいずれか一つに記載の方法。
【請求項９】
所定のオフセットの最大限界値（６３）と、階層表内の選択過程（５４）の際に予備選択されたベストサーバーセル（Ｃ１）とセカンドベストサーバーセル（Ｃ２）の間のフィールドレベルの差を比較する第一過程（５４１）を備え、
最大限界値（６３）を超えることによって、セカンドベストサーバーセル（Ｃ２）の除去過程（５４２）が起動されて、ベストサーバーセル（Ｃ１）がスターティングセル（２１、２２）として選択されるようにすることを特徴とする、請求項５から８のいずれか一つに記載の方法。
【請求項１０】
所定のオフセットの第二最大限界値（６４）と、候補セルのリストから抽出されたベストサーバーセル（Ｃ１）とセカンドベストサーバーセル（Ｃ２）の間のフィールドレベルの差を比較するための、前記第二システムの少なくとも一つの周波数帯に関する第二比較過程（５６１）を備え、
第二最大限界値（６４）を超えることによって、到着セルの選択過程（５６）の際のセカンドベストサーバーセル（Ｃ２）の除去過程（５６２）を起動する非選択基準に対応することを特徴とする、請求項１から９のいずれか一つに記載の方法。
【請求項１１】
候補セルのリストの生成過程（５５）が、第二パラメータ化過程（５０２）の際にパラメータ化された所定の候補セルの限界数（６５）に限定されることを特徴とする、請求項３から１０のいずれか一つに記載の方法。
【請求項１２】
候補セルのリストの生成過程（５５）が、第二システムに属し、スターティングセル（２１、２２）と同一の送受信場所または区分から出たセルの検出過程から成ることを特徴とする、請求項１から１１のいずれか一つに記載の方法。
【請求項１３】
計算過程（５５０）が、近隣セルのそれぞれの重なり面積を定義するのに最小フィールドレベル（６６）を考慮し、
重なり面積の加重過程（５５２）が、地上の種別および／またはセル内のトラフィック密度を表す加重係数を考慮に入れることを特徴とする、請求項２から１２のいずれか一つに記載の方法。
【請求項１４】
候補リスト内の選択過程（５６）が、候補セルを生成する場所または区分と無線端末の位置との間の距離を、選択基準として用いることを特徴とする、請求項１から１３のいずれか一つに記載の方法。
【請求項１５】
選択された到着セルが、選択基準に応じて決定された分類を含む到着セルのリスト内にまとめられることを特徴とする、請求項１から１４のいずれか一つに記載の方法。
【請求項１６】
請求項１から１５のいずれか一つに記載の方法を実施するための情報機器（１）において、
該情報機器は、記憶手段（１０）、計算手段（１１）、および第一選択手段（１２）から成り、
前記記憶手段（１０）が、複数個の点または画素に分割され、セルラー方式無線電話のネットワーク（４）によって覆われた地理的区域を表すデータを第一メモリ（１０１）内に含み、切り分けが、セル（２０、３０）のそれぞれに用いられた周波数帯を区別する、世代の異なる二つのシステムの間に配分された複数個の無線のセル（２０、３０）でのネットワーク（４）の切り分けを表すデータを第二メモリ（１０２）内に含み、そしてネットワーク（４）のいっさいの点での受信範囲データを第三メモリ（１０３）内に含む機器であって、
前記機器は、以下を備えることを特徴とする。
・記憶手段（１０）が、計算パラメータを計算パラメータ構成ファイル（１０４）内に保存し、計算パラメータの入力を可能にするためのユーザーと前記情報機器（１）との間の対話手段（１００）を備える。
・切り分けられたネットワーク（４）の無線セルの区域の中で、それぞれの周波数帯について、ベストサーバーセルとセカンドベストサーバーセルのデータを転送する階層表（Ｔ）を生成するための、受信範囲データからの抽出および作表手段（１３）を備える。
・第一システム内の無線端末に組み合わされ、「ソース」周波数帯に対応するスターティングセルを階層表（Ｔ）内で選択するために、第一選択手段（１２）が、無線端末のための情報収集手段（１４）によって収集された位置と周波数帯のデータを用いるように構成されている、デュアルモード無線移動端末のネットワーク内の位置と前記「ソース」周波数帯とを決定するための情報収集手段（１４）を備える。
・計算手段（１１）が、構成ファイルの少なくとも一つの計算パラメータに応じて到着セルを候補のリスト内で選択するための第二選択手段（１５）を備えている第二システムから成り、
第二システムに属し、前記スターティングセルに近隣する候補セルのリストを生成するためにネットワークの切り分けデータおよび階層表（Ｔ）を利用するのに適した、計算手段（１１）に供される発生モジュール（１１０）を備える。
【請求項１７】
発生モジュール（１１０）が、前記スターティングセルの近隣の第二システムのセルの予備リストを階層表（Ｔ）から抽出し、これらの近隣セルのそれぞれのスターティングセルとの重なり面積を計算するように構成され、
発生モジュール（１１０）が、さらに計算された重なり面積に加重するための受信範囲データから出たゲオマーケティングデータを用いるのに適していることを特徴とする、請求項１６に記載の機器。
【請求項１８】
発生モジュール（１１０）が、スターティングセルとの重なり百分率が計算パラメータ構成ファイル（１０４）内にパラメータ化された百分率限界値（６０）未満である、第二システムの近隣セルを判別することを可能にする計算手段（１１）の比較モジュール（１１１）を備えていることを特徴とする、請求項１６または１７に記載の機器。
【請求項１９】
第一選択手段（１２）が、対応するフィールドレベルが計算パラメータ構成ファイル（１０４）内にパラメータ化された所定の第一最大限界値（６１）を越えるときだけ、所定の周波数帯について、スターティングセルの選択を可能にするための計算手段（１１）の比較モジュール（１１１）を備えていることを特徴とする、請求項１６から１８のいずれか一つに記載の機器。
【請求項２０】
第二選択手段（１５）が、計算パラメータ構成ファイル（１０４）内にパラメータ化された所定の第二限界値（６２）と、候補セルのそれぞれのフィールドレベルを比較して候補セルを確定するための計算手段（１１）の比較モジュール（１１１）を備え、
第二選択手段（１５）が、候補の一つのフィールドレベルが前記第二限界値（６２）を超えるときだけ到着セルを選択することを特徴とする、請求項１６から１９のいずれか一つに記載の機器。
【請求項２１】
記憶手段（１０）の中に保存されたネットワーク（４）のデータが、セルラー方式無線電話のネットワーク（４）のセルを、二つの異なる周波数帯を備えたＧＳＭ型の第一システムと、一つの周波数帯を備えたＷ−ＣＤＭＡ型の第二システムの間に配分する切り分けを表すことを特徴とする、請求項１６から２０のいずれか一つに記載の機器。
【請求項２２】
第二選択手段（１５）が、計算パラメータ構成ファイル（１０４）が周波数帯のそれぞれについて優先レベル（７０、７１、７２）を表す計算パラメータの保存を備えた、周波数帯の優先レベルを候補セルの中で判別するように構成されていることを特徴とする、請求項１６から２１のいずれか一つに記載の機器。
【請求項２３】
第一選択手段（１２）が、対応するベストサーバーセルおよびセカンドベストサーバーセルを予備選択するために、情報収集手段（１４）によって収集された位置と周波数帯のデータを用いるのに適しており、
計算パラメータ構成ファイル（１０４）内にパラメータ化された所定のオフセットの最大限界値（６３）と、前記ベストサーバーセル（Ｃ１）と前記セカンドベストサーバーセル（Ｃ２）の間のフィールドレベルの差を比較するための計算手段（１１）の比較モジュール（１１１）を備え、
第一選択手段（１２）が、最大限界値（６３）を超えたときにベストサーバーセル（Ｃ１）だけをスターティングセルとして選択するように構成されていることを特徴とする、請求項１６から２２のいずれか一つに記載の機器。
【請求項２４】
第二選択手段（１５）が、同一周波数帯のベストサーバーセル（Ｃ１）とセカンドベストサーバーセル（Ｃ２）の間のフィールドレベルの差を、計算パラメータ構成ファイル（１０４）内にパラメータ化された所定のオフセットの第二最大限界値（６４）と比較して、セカンドベストサーバーセル（Ｃ２）を候補セルの中から判別するための計算手段（１１）の比較モジュール（１１１）を備えていることを特徴とする、請求項１６から２３のいずれか一つに記載の機器。
【請求項２５】
計算パラメータ構成ファイル（１０４）が、候補セルのリストの所定の限界数（６５）に制限するパラメータを含んでおり、
発生モジュール（１１０）が、所定の数の候補セルを有するリストを提供するために、限界パラメータを使用することを特徴とする、請求項１６から２４のいずれか一つに記載の機器。
【請求項２６】
計算パラメータ構成ファイル（１０４）が、前記スターティングセルに対する共通場所または共通区分セルの選択パラメータを備えていて、
発生モジュール（１１０）が、第二システムに属し、スターティングセルと同一の送受信場所または区分から出たセルを候補セルリスト内に挿入するように構成されていることを特徴とする、請求項１６から２５のいずれか一つに記載の機器。
【請求項２７】
発生モジュール（１１０）が、重なり面積に加重係数を乗じるために、
一方では重なり面積計算の際に計算パラメータ構成ファイル（１０４）内にパラメータ化された最小フィールドレベルを、
他方では計算パラメータ構成ファイル（１０４）内にパラメータ化され、地上の種別および／またはセル内のトラフィック密度を表す加重係数を計算に入れるように構成されていることを特徴とする、請求項１６から２６のいずれか一つに記載の機器。
【請求項２８】
計算パラメータ構成ファイル（１０４）が、無線端末の候補セルと位置を発生する場所または区分の間の距離に関する選択パラメータを含むことを特徴とする、請求項１６から２７のいずれか一つに記載の機器。
【請求項２９】
計算手段（１１）が、計算パラメータ構成ファイルのパラメータに応じて、到着セルを所定の仕方で分類するように構成されていることを特徴とする、請求項１６から２８のいずれか一つに記載の機器。
【発明の詳細な説明】
【技術分野】
【０００１】
本発明は、セルラー方式携帯無線電話ネットワークに関するものであり、また、より詳細には、事業者によって管理されるネットワーク内の無線受信範囲を改善することを目的として、２Ｇシステム（例えば、ＧＳＭ、ＧＰＲＳ、ＣＤＭＡ、など）と３Ｇ（ＵＭＴＳ）システムの間の接続の自動切換を可能にするための２Ｇ−３Ｇ近傍計算の方法とシステムに関するものである。
【背景技術】
【０００２】
セルラー方式携帯無線電話ネットワークは、それぞれのセルを定義する区域の無線受信区域を提供する送受信器を備えた複数個の無線地上基地局から成る。
今日、きわめて広く普及しているセルラー方式携帯無線電話通信システムは、ＣＤＭＡ（符号分割多重アクセス方式）である。
スペクトル拡散のＣＤＭＡ技術の使用により、携帯端末について高いスループットが提供される。
最新のＣＤＭＡ標準（例えば、ワイドバンドＣＤＭＡ：Ｗ−ＣＤＭＡ）、いわゆる第三世代（３Ｇ）標準は、したがって、多くの事業者において開発段階にある。
結果として、携帯端末は「古い」第二世代システム（２Ｇ）と新しい３Ｇシステムの両方に対する適合性を向上させる必要がある。
【０００３】
典型的なセルラー方式携帯無線電話ネットワークにおいて、携帯端末は最強の利用可能な信号を有する基地局と通信することができる。
利用可能な信号に従うために、携帯端末は利用可能な基地局の、永久的にアップデートされるリストを有する。
一般的にシステムのそれぞれの基地局は、携帯端末が最強信号の局を決定できるように信号を発信する。
この決定は、信号の強さを検出し測定する手段を有する、携帯端末の無線リソースを管理するモジュールによって承認される。
【０００４】
無線リソースを管理するためのモジュールの結果は、活動状態の基地局に発信され、基地局は、利用可能な基地局のリストを更新するために携帯端末に命令を送り返す。
携帯端末がセルから離れるとすぐに、セルは、特に利用可能な基地局のリストから決定された新しい基地局にアクセスしなければならない。
切換またはハンドオーバーは、前の基地局との接続が切断される前に実現されなければならず、それによって通信の連続性を保証し、使用者にとっての完全な透明性に到達するようにする。
同じ一つの基地局の近隣する二つの区分に共通のある受信範囲区域内に端末が存在する「ソフトハンドオーバー」の場合、切換は基地局とは異なる送受信器の選択によって実現される。
いずれの場合にも、異なる送受信器と携帯端末の間の通信は、二つの無線チャンネルを同時に利用する。
したがって、それは周波数保存ハンドオーバー型である。
（携帯電話が例えば、Ｗ−ＣＤＭＡ周波数から他のものに移行することを可能にする）相互周波数型あるいは（携帯電話が例えば、Ｗ−ＣＤＭＡからＧＳＭのように、あるシステムから他のものに移行することを可能にする）相互システム型の「ハードハンドオーバー」も存在する。
【０００５】
セルラー方式無線電話による現在のシステムの大半において、ハンドオーバーは世代の異なるシステムの間で正確に行うことができない。
システムは異なる変調方式と伝播速度を使用しているので、当然のことながら物理レイヤーのレベルにおいて互換性がない。
これは受信範囲にホールがある３Ｇシステムの使用者にとっては問題であり、該ホールは既存の２Ｇシステムを援用することで埋めることができるかも知れない。
したがって、ハンドオーバーの際の切断による不便さに遭遇することなしに、２Ｇシステムと３Ｇシステムのそれぞれにおいて、ネットワークのある受信範囲から別の受信範囲に移行することを可能にするのが望ましい。
【０００６】
先行技術において、米国特許第６５６７６６６号明細書によって知られているのは、「アクティブ」な基地局が、近隣基地局のパイロット信号を含むリストの中に記載されたパイロット信号のそれぞれの強さの測定値を携帯端末側から受信し、一方で、定義された限界値を超えるレベルを有する受信パイロット信号の任意の選択と、他方の、ハンドオーバー開始前に移動端末の構成を可能にするパラメータと構成のデータとを提供するメッセージを移動端末に送信する、世代の異なるＣＤＭＡシステム間のハンドオーバーの方法である。
【０００７】
このタイプの方法の問題点は、移行する基地局の選択のためにフィールドレベル以外のいっさいの特性が考慮に入れられていないことである。
言い換えれば、ネットワークの使用を最適化することができない。
くわえて、例えば、９００Ｍｈｚ周波数帯、１８００Ｍｈｚ周波数帯およびマイクロセルのために備えられた追加の周波数帯による、ＧＳＭの周波数タイプの間の、異なるレイヤーを階層化することもできない。
したがって、ベストサーバーセルに向かうハンドオーバーの実現のための効率的なネットワーク構成を可能にする、現場の現実により適合した方法を見つける必要がある。
【特許文献１】米国特許第６５６７６６６号明細書
【発明の開示】
【発明が解決しようとする課題】
【０００８】
したがって、本発明は、２Ｇおよび３Ｇシステム間の接続の自動切換をパラメータ化するための適切かつ効果的な解決法を提供することを、受信範囲、トラフィック、サービスの品質のデータを考慮に入れて可能にする、２Ｇ−３Ｇ近傍計算方法を明らかにすることによって、先行技術の一つまたは複数の問題点を解消することを第一の目的とする。
【０００９】
本発明のもう一つの目的は、２Ｇ−３Ｇ近傍計算方法の枠内で、優先周波数に向けての移行を助長するために利用可能な周波数帯の階層化を可能にすることである。
【課題を解決するための手段】
【００１０】
このため、本発明は、デュアルモード無線携帯端末が情報機器によってセルラー方式無線電話ネットワーク内に実現されたシステムの間を移動するときに、該システム間の接続の自動切換のパラメータ化を可能にするための２Ｇ−３Ｇ近傍計算法であって、該方法は、ネットワークの基地局の送受信手段によって発生した複数の無線セルのネットワーク切り分けを含むモデル化予備過程から成り、該切り分けはセルのそれぞれの中で用いられる周波数帯を区別するものであり、情報機器はネットワークの全ての点における受信範囲のデータをメモリ手段の中に記憶するものであり、該方法は、受信範囲のベストレベル、受信範囲のセカンドベストレベルにそれぞれ対応する無線セル区域を記載する指数をそれぞれ表すベストサーバーセルおよび少なくともセカンドベストサーバーセルのデータを、切り分けられたネットワーク内のそれぞれの周波数帯について、階層表内に発生させるために受信範囲データを用いる階層化と呼ばれる過程を含むことを特徴とする方法であって、さらに：
・計算パラメータ構成ファイル内への保存を含む構成過程と、
・デュアルモード無線携帯端末によって第一システム内で用いられる無線セル区域および「ソース」周波数帯の決定過程と、それに続いて、この区域と決定された「ソース」周波数帯とに対応する少なくとも一つのスターティングセルを階層表内で選択する過程と、
・第二システムに属し、前記スターティングセルに近い、候補と呼ばれるセルのリストを階層表から生成する過程と、
・少なくとも一つの選択基準に応じて、少なくとも一つの到着セルを候補のリストの中から選択する過程、
を含むことを特徴とする方法に関するものである。
【００１１】
別の特徴によれば、候補セルリスト生成過程は、第二システムの近隣セルのそれぞれについて、スターティングセルとの重なり面積を計算する過程と、対象近隣セルに組み合わされたジオマーケティングデータに応じた重なり面積の加重過程とから成る。
【００１２】
別の特徴によれば、候補セルリスト生成過程は、構成過程において、パラメータ化した百分率の限界値より低いスターティングセルとの重なり百分率を有する第二システムの近隣セルの判別過程から成る。
【００１３】
別の特徴によれば、階層化過程は、それぞれの周波数帯について、ベストサーバーセルの第一デジタルマップおよびセカンドベストサーバーセルの第二デジタルマップの作成過程から成り、前記第一および第二マップは、周波数帯についてベストサーバーセルとセカンドベストサーバーセルの唯一の対をネットワークの任意の点に組み合わせるように、重なりのない別個の区域への切り分けを含んでいる。
【００１４】
別の特徴によれば、スターティングセルの選択過程は、決定された「ソース」周波数帯と端末が位置する区域に対応するベストサーバーセルおよび少なくともセカンドベストサーバーセルの、階層表内の前選択から始まり、ついで前選択されたセルのフィールドレベルが所定の第一限界値を超えるときだけ、スターティングセルの選択に到達する。
【００１５】
別の特徴によれば、到着セルの選択過程は、候補のうち一つのフィールドレベルが第二限界値を超えるときだけ到着セルの選択に到るように、これらの候補のそれぞれのフィールドレベルを所定の第二限界値と比較することによって、候補セルを確定する過程から成る。
【００１６】
このようにして本発明は、ベストサーバーセルの故障または不確実の場合にセカンドベストサーバーセルが選ばれることができるので、相互システムハンドオーバーの実現を可能にするのに十分高いフィールドレベルを有するセルの選択を可能にする。
【００１７】
別の特徴によれば、モデル化過程は、セルラー方式無線電話ネットワークのセルを、少なくとも二つの異なる周波数帯を備えたＧＳＭ型の第一システムと、少なくとも一つの周波数帯を備えたＷ−ＣＤＭＡ型の第二システムの間に配分する切り分けを含んでいる。
【００１８】
別の特徴によれば、前記第二システムが異なる周波数帯を備えているとき、優先定義過程で定義された優先レベルは、候補セルリスト内の前記選択過程の際の選択基準に用いるためにこの第二システムの周波数帯のそれぞれに組み合わせられる。
【００１９】
別の特徴によれば、本発明による方法は、所定のオフセットの第一最大限界値と、階層表内の選択過程の際に予備選択されたベストサーバーセルとセカンドベストサーバーセルの間のフィールドレベルの差を比較する過程を備え、この第一最大限界値を超えることによって、セカンドベストサーバーセルの除去過程が起動されて、ベストサーバーセルがスターティングセルとして選択されるようにする。
【００２０】
別の特徴によれば、本発明による方法は、所定のオフセットの第二最大限界値と、候補セルリストから抽出されたベストサーバーセルとセカンドベストサーバーセルの間のフィールドレベルの差を比較するための、前記第二システムの少なくとも一つの周波数帯に関する第二比較過程を備え、この第二最大限界値を超えることが、到着セル選択過程の際のこのセカンドベストサーバーセルの除去過程を起動する非選択基準に対応している。
【００２１】
別の特徴によれば、候補セルリスト生成過程は、第二パラメータ化過程の際にパラメータ化された候補セルの限界数に限定される。
【００２２】
別の特徴によれば、候補セルリスト生成過程は、第二システムに属し、スターティングセルと同一の送受信場所または区分から出たセルの検出過程から成る。
【００２３】
別の特徴によれば、計算過程は、近隣セルのそれぞれの重なり面積を定義するのに最小フィールドレベルを考慮し、重なり面積加重過程は地上の種別および／またはセル内のトラフィック密度を表す加重係数を考慮に入れる。
【００２４】
別の特徴によれば、候補リスト内の選択過程は、候補セルリスト生成場所または区分と無線端末の位置との間の距離を選択基準として用いる。
【００２５】
別の特徴によれば、選択された到着セルは、選択基準に応じて決定された分類を含む到着セルのリスト内にまとめられる。
【００２６】
このように本発明は、有利には、潜在的スターティングセルとの重なり、または近隣のものの基地局に対する端末の距離などの妥当性基準によって予め選択された近隣セルの制限リストを無線端末に送信することを可能にする。くわえて、選択基準による分類は、優先的周波数帯へのハンドオーバーを助長することを可能にする。
【００２７】
本発明のもう一つの目的は、２Ｇおよび３Ｇシステム間の接続の自動切換を最適化するための、本発明による方法に特に適した情報機器を定義することによって先行技術で遭遇した一つまたは複数の問題の解決をもたらすことである。
【００２８】
この目的を達成するのは、本発明による方法を実施するための情報機器であって、該情報機器は、記憶手段、計算手段、および第一選択手段から成り、前記記憶手段が複数個の点または画素に分割され、セルラー方式無線電話ネットワークによって覆われた地理的区域を表すデータを第一メモリ内に含み、切り分けがセルのそれぞれに用いられた周波数帯を区別する、世代の異なる二つのシステムの間に配分された複数個の無線セルでのネットワークの切り分けを表すデータを第二メモリ内に含み、そしてネットワークのいっさいの点での受信範囲データを第三メモリ内に含む機器であって、該機器は以下を備えることを特徴とする：
・記憶手段が計算パラメータを構成ファイル内に保存する、計算パラメータの入力を可能にするためのユーザーと前記機器の間の対話手段と、
・切り分けられたネットワークの無線セルの区域の中でそれぞれの周波数帯について、ベストサーバーセルと少なくとも一つのセカンドベストサーバーセルのデータを転記する階層表を生成するための、受信範囲データからの抽出および作表手段と、
・第一システム内のこの無線端末に組み合わされ、前記「ソース」周波数帯に対応する少なくとも一つのスターティングセルを階層表内で選択するために、第一選択手段が、無線端末のための情報収集手段によって収集された位置と周波数帯のデータを用いるように構成されている、デュアルモード無線移動端末のネットワーク内の位置と「ソース」周波数帯を決定するための情報収集手段と、
・計算手段が、構成ファイルの少なくとも一つの計算パラメータに応じて少なくとも一つの到着セルを候補リスト内で選択するための第二選択手段を備えている、第二システムに属し、前記スターティングセルに近隣する候補と呼ばれるセルのリストを生成するためにネットワークの切り分けデータと階層表を利用するのに適した、計算手段に供される発生モジュール。
【００２９】
別の特徴によれば、発生モジュールは、前記スターティングセルの近隣の第二システムのセルの予備リストを階層表から抽出し、これらの近隣セルのそれぞれのスターティングセルとの重なり面積を計算するように構成され、発生モジュールはさらに計算された重なり面積に加重するための受信範囲データから出たゲオマーケティングデータを用いるのに適している。
【００３０】
別の特徴によれば、発生モジュールは、スターティングセルとの重なり百分率が構成ファイル内にパラメータ化された百分率の限界値未満である、第二システムの近隣セルを判別することを可能にする計算手段の比較モジュールを備えている。
【００３１】
別の特徴によれば、第一選択手段は、対応するフィールドレベルが構成ファイル内にパラメータ化された所定の第一限界値を越えるときだけ、所定の周波数帯についてスターティングセルの選択を可能にするための計算手段の比較モジュールを備えている。
【００３２】
別の特徴によれば、第二選択手段は、構成ファイル内にパラメータ化された所定の第二限界値と、これらの候補のそれぞれのフィールドレベルを比較して候補セルを確定するための計算手段の比較モジュールを備え、第二選択手段は候補の一つのフィールドレベルが前記第二限界値を超えるときだけ到着セルを選択する。
【００３３】
別の特徴によれば、記憶手段の中に保存されたネットワークのデータは、セルラー方式無線電話ネットワークのセルを、少なくとも二つの異なる周波数帯を備えたＧＳＭ型の第一システムと、少なくとも一つの周波数帯を備えたＷ−ＣＤＭＡ型の第二システムの間に配分する切り分けを表す。
【００３４】
別の特徴によれば、第二選択手段は、構成ファイルが周波数帯のそれぞれについて優先レベルを表す計算パラメータの記憶を備えた、周波数帯の優先レベルを候補セルの中で判別するように構成されている。
【００３５】
別の特徴によれば、第一選択手段は、対応するベストサーバーセルとセカンドベストサーバーセルを予備選択するために、情報収集手段によって収集された位置と周波数帯のデータを用いるのに適しており、またさらに構成ファイル内にパラメータ化された所定のオフセットの第一最大限界値と、前記ベストサーバーセルと前記セカンドベストサーバーセルの間のフィールドレベルの差を比較するための計算手段の比較モジュールを備え、第一選択手段はこの第一最大限界値を超えたときにベストサーバーセルだけをスターティングセルとして選択するように構成されている。
【００３６】
別の特徴によれば、第二選択手段は、同一周波数帯のベストサーバーセルとセカンドベストサーバーセルの間のフィールドレベルの差を、構成ファイル内にパラメータ化された所定のオフセットの第二最大限界値と比較して、セカンドベストサーバーセルを候補セルの中から判別するための計算手段の比較モジュールを備えている。
【００３７】
別の特徴によれば、構成ファイルは、候補セルリストの所定の限界値に制限するパラメータを含んでおり、発生モジュールは所定の数の候補セルを有するリストを提供するためにこの限界パラメータを使用する。
【００３８】
別の特徴によれば、構成ファイルは、前記スターティングセルに対する共通場所または共通区分セルの選択パラメータを備えていて、発生モジュールは、第二システムに属し、スターティングセルと同一の送受信場所または区分から出たセルを候補セルリスト内に挿入するように構成されている。
【００３９】
別の特徴によれば、発生モジュールは、重なり面積に加重係数を乗じるために、一方では重なり面積計算の際に構成ファイル内にパラメータ化された最小フィールドレベルを、他方では構成ファイル内にパラメータ化され、地上の種別および／またはセル内のトラフィック密度を表す加重係数を計算に入れるように構成されている。
【００４０】
別の特徴によれば、構成ファイルは、無線端末の候補セルと位置を発生する場所または区分の間の距離に関する選択パラメータを含む。
【００４１】
別の特徴によれば、計算手段は、構成ファイルのパラメータに応じて到着セルを所定の仕方で分類するように構成されている。
【発明の効果】
【００４２】
本発明の利点の一つは、第三世代のシステム内の受信範囲のホールの問題に対する最適な解決を提供することである。本発明は、既存の異なるレイヤー（ＧＳＭシステムの場合は３レイヤー）を考慮に入れて、ネットワークの３Ｇ部分から２Ｇ部分への切換を切れ目なしに実現する可能性を与えるものである。
【発明を実施するための最良の形態】
【００４３】
本発明とその特徴および利点は、非制限的な例として挙げられた付属の図面を参照して、下記の説明を読むことによって、より明らかになるだろう。
【００４４】
・図１は、本発明による情報機器と、世代の異なるシステムのセルの間の重なりを図示する地図とを概略的に示している、
・図２は、本発明の教示によるハンドオーバーを必要とする状況の一例を示している、
・図３は、ネットワークの定義された無線セル区域についてベストおよびセカンドベストサーバーセルを、それぞれの周波数帯について転記した階層表である、
・図４は、本発明の一つの実施態様における方法の過程の論理図を示している、
・図５は、計算パラメータの入力と選択を可能にするウィンドウを示している。
【００４５】
つぎに、図１、２、および３を参照して本発明を説明する。
【００４６】
本発明による情報機器（１）は、デュアルモード無線移動端末がセルラー方式無線電話のネットワーク（４）内の世代の異なるシステムの間を移動するときに、該システムの間の接続の自動切換のパラメータ化を可能にするための２Ｇ−３Ｇ近傍計算のためのものである。
図１に示した情報機器（１）は、記憶手段（１０）、計算手段（１１）、および第一選択手段（１２）から成る。
記憶手段（１０）は、セルラー方式無線電話のネットワーク（４）によって覆われ、複数個の点または画素に分割された地理的区域を表すデータを保存するための第一メモリ（１０１）と、複数の無線セル（２０、３０）へのネットワークの切り分けを表すデータを保存するための第二メモリ（１０２）と、ネットワークのいっさいの点での受信範囲のデータを保存するための第三メモリ（１０３）とで構成することができる。
【００４７】
実現された切り分けは、無線セル（２０、３０）のそれぞれに用いた世代の異なる二つのシステムを区別する。
これらのセルは、ネットワーク（４）の基地局（４０）の送受信手段（４１）によって発生する。本発明の推奨実施態様において、一つのシステムに複数個の周波数帯を用意することができるので、切り分けは無線セル（２０、３０）のそれぞれについて異なる周波数帯を区別する。
この切り分けは、例えば、非制限的に、少なくとも二つの異なる周波数帯を備えたＧＳＭ型の第二世代の第一システムと、例えば、少なくとも一つの周波数帯を備えたＷ−ＣＤＭＡ型の第三世代の第二システムの間に、セルラー方式無線電話ネットワーク（４）のセル（２０、３０）を配分するネットワーク（４）のモデル化に対応することができる。
【００４８】
図１に示したごとく、選択可能な計算パラメータの入力と表示、ならびに例えば地区、都市または県のサイズの地理的区域内のネットワーク（４）の受信範囲地図などの、ネットワークの地図の表示のために、使用者と前記機器（１）の間の対話手段（１００）が備えられる。
処理または計算手段（１１）、あるいは中央ユニット、記憶手段（１０）、ならびにマウス付きのキーボードまたはその他の装置による入力手段とインタラクティブディスプレイスクリーンによるデータ呈示手段は、詳細を示されていない。
記憶手段（１０）内に保存した構成ファイルは、例えば、計算パラメータをまとめることを可能にする。
本発明による機器は、切り分けられたネットワーク（４）の無線セル区域の中のそれぞれの周波数帯について、ベストサーバーセル（Ｃ１）と少なくとも一つのセカンドベストサーバーセル（Ｃ２）のデータを転記する階層表（Ｔ）を、受信範囲データから生成するための抽出手段および作表手段（１３）を備えている。
これらの階層表（Ｔ）は、記憶手段（１０）の中に保存される。
【００４９】
図３の例において、ベストサーバーセル（Ｃ１）およびセカンドベストサーバーセル（Ｃ２）を表すデータは、ネットワーク（４）の定義された無線セル区域（Ａ）に対応する階層表内に転記される。
図３の実施態様において、ネットワーク（４）は、一方のＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の２ＧＨｚ周波数帯またはレイヤー（Ｌ）に適した無線セル（３０）と、他方の、９００ＭＨｚレイヤー（Ｌ１）のためのマクロセルと、１８００ＭＨｚレイヤー（Ｌ２）のためのマクロセル、あるいはさらにＧＳＭ第二世代のシステムの例のように追加レイヤー（Ｌ３）のためのミクロセルをそれぞれ定義する無線セル（２０）とから成る。
例えば、ＣＤＭＡ−２０００のような、ＵＭＴＳに類似の第三世代の任意のシステムも用いることができる。
階層表（Ｔ）は、定義された無線セル区域（Ａ）に対応し、ネットワーク（４）内の考えられる周波数帯のそれぞれについて、ベストレベルの受信範囲を有するサーバーセル（Ｃ１）と、セカンドベストレベルの受信範囲を有するサーバーセル（Ｃ２）とをそれぞれ指す指数の形を取ることができる。
【００５０】
本発明の実施態様において、それぞれの周波数帯について、ベストサーバーセル（Ｃ１）の区域（Ａ）を切り分けるデジタル地図（Ｍ１）を、受信範囲データなどのネットワークのデータから、情報機器（１）の（図示されていない）地図の発生手段によって作成することができる。
同様にして、セカンドベストサーバーセル（Ｃ２）の区域を切り分けるデジタル地図（Ｍ２）を作成することができる。
変型実施態様において、三番目に良いサーバーセルで地図を作成することさえ考えられる。
かかる地図（Ｍ１、Ｍ２）は、例えば、第三メモリ（１０３）内の受信範囲データの中に保存される。
このタイプの地図（Ｍ１、Ｍ２）について、それぞれのベストサーバーセル（Ｃ１）が、所与の周波数帯について他の任意のセルとは区別される固有の優越区域を有するので、重なりはないと理解される。
【００５１】
図１の例において、情報機器（１）は、ネットワーク（４）内の位置とデュアルモード無線携帯端末の「ソース」周波数帯とを決定するための情報収集手段（１４）を含んでいる。
したがって、ネットワーク（４）内の第一の点（Ｐ１）から第二の点（Ｐ２）への移動を、追跡することができる。
無線移動端末が、所定の世代のシステムのセルから別の世代のシステムセルに、例えば、図２の例においてＵＭＴＳからＧＳＭに運ばれるとき、ネットワーク（４）によって提供されたサービスの連続性を保証するために、相互システムハンドオーバーの決定をする必要がある。
本発明の実施態様において、第一選択手段（１２）は、第一システムの中である無線端末に組み合わされ、前記「ソース」周波数帯に対応する少なくとも一つのスターティングセルを階層表（Ｔ）内で選択するために、無線端末に関する情報収集手段（１４）によって収集された位置と周波数帯のデータの使用を可能にする。
図１を参照して、ＧＳＭシステムのセル（２０）を使用するある無線端末が位置（Ｐ）に存在し、ＵＭＴＳ型の第二システムのセル（３０）によってカバーされる区域に向かうとき、第一選択手段（１２）は、この第一ＧＳＭシステムの中で少なくとも二つのスターティングセル（２１、２２）を、階層表（Ｔ）によって、例えば識別することになる。
【００５２】
図３を参照すると、情報機器（１）は、ネットワーク（４）のシステムの中の異なるレイヤー（Ｌ、Ｌ１、Ｌ２、Ｌ３）または周波数帯の区別を可能にする。
本発明の実施態様において、記憶手段（１０）の中に保存されたネットワーク（４）のデータは、少なくとも二つの異なる周波数帯（Ｌ１、Ｌ２、Ｌ３）を備えたＧＳＭ型の第一システムと、少なくとも一つの周波数帯（Ｌ）を備えたＷ−ＣＤＭＡ型の第二システムとの間に、セルラー方式無線電話ネットワーク（４）のセル（２０、３０）を配分する切り分けを表している。
したがって、デジタル地図（Ｍ１、Ｍ２）のような階層表（Ｔ）は、デュアルモード無線携帯端末によって用いられる可能性がある周波数帯のそれぞれについて、ベストサーバーセルとセカンドベストサーバーセルを考慮に入れるように、レイヤー（Ｌ、Ｌ１、Ｌ２、Ｌ３）のそれぞれを考慮に入れる。
【００５３】
これらの第一選択手段（１２）は、対応するフィールドレベルが計算パラメータ構成ファイル（１０４）内にパラメータ化された所定の第一最大限界値（６１）を超えるときだけ、第一システムの所定の周波数帯について、スターティングセル（２１、２２）の選択を可能にするために計算手段（１１）の比較モジュール（１１１）を備えることができる。
かかるスターティングセル（２１、２２）は、その後、世代の異なるシステムの一つまたは複数個の周波数帯を用いる近隣セル（３１、３２、３３）を決定する基準の役割を果たす。
【００５４】
図１を参照すると、情報機器（１）は、第二システム、すなわち図１の例の場合はＵＭＴＳシステムに属する候補と呼ばれるセル（３１、３２）のリストを生成するために、ネットワーク（４）の切り分けデータと階層表（Ｔ）の利用を可能にする、計算手段（１１）に供される発生モジュール（１１０）をさらに備えている。
候補セル（３１、３２）は、前記スターティングセル（２１、２２）の近隣セルである。
相互システムハンドオーバーが実現されるために、候補セル（３１、３２）は、スターティングセル（２０）のシステムとは異なるそれのセル（３０）の中から選択されることが容易に分かる。
ハンドオーバーは、３Ｇシステムから２Ｇシステムに向けて、あるいは逆に２Ｇシステムから３Ｇシステムに向けて、本発明によって実現することができる。
【００５５】
次に、図１、図３、および図５を参照して本発明を説明する。
【００５６】
情報機器（１）の計算手段（１１）は、計算パラメータ構成ファイル（１０４）の少なくとも一つの計算パラメータに応じて少なくとも一つの到着セルを候補リスト（２１、２２）の中から選択するための、第二選択手段（１５）から成る。
特に、情報機器（１）は、ベストサーバーセル（Ｃ１）の故障または不確実の場合にセカンドベストサーバーセル（Ｃ２）が選ばれることができるので、相互システムハンドオーバーの実現を可能にするのに十分高いフィールドレベルを有する到着セルの選択を、これらの第二選択手段（１５）を介して、可能にする。
このため、第二選択手段（１５）は、計算パラメータ構成ファイル（１０４）内にパラメータ化された所定の第二限界値（６２）と、これらの候補セル（３１、３２）のそれぞれのフィールドレベルとを比較することによって候補セル（３１、３２）を確定するために計算手段（１１）の比較モジュール（１１１）を備え、第二選択手段（１５）は、候補セル（３１、３２）のうちの一つのフィールドレベルが前記第二限界値（６２）を越えるときだけ到着セルを選択する。
【００５７】
相互システムハンドオーバーの際に、デュアルモード無線端末によって検索される周波数の走査時間を最大限短縮するために、情報機器（１）は、最初に近隣セル（３１、３２、３３）の数を少数の候補セル（３１、３２）に減らし、つぎに計算パラメータを用いて、候補セル（３１、３２）の数を少数の到着セルに制限することを可能にする。
【００５８】
本発明の実施態様において、発生モジュール（１１０）は、前記スターティングセル（２１、２２）の第二システムの近隣セル（３１、３２、３３）の予備リストを階層表（Ｔ）から抽出し、これらの近隣セル（３１、３２、３３）のそれぞれのスターティングセル（２１、２２）との重なり面積を計算するように構成されている。
この発生モジュール（１１０）は、計算された重なり面積に加重するための受信範囲データから得られたゲオマーケティングデータを用いることができる。
計算された重なり面積は、この重なり面積に過重係数を乗じることによって、例えば、作為的に増減することができる。
発生モジュール（１１０）は、一方では、重なり面積計算の際に、計算パラメータ構成ファイル（１０４）内にパラメータ化された最小フィールドレベル（６６）を、他方で計算パラメータ構成ファイル（１０４）内のパラメータ化され、地上の種別および／またはセル内のトラフィック密度を表す係数を計算に入れるように、例えば、構成される。
図５の例において、対話手段（１００）によって表示されたパラメータ化ウィンドウ（６）上で加重オプション（６００）を選択することができる。
【００５９】
発生モジュール（１１０）は、計算パラメータ構成ファイル（１０４）内にパラメータ化された百分率限界値（６０）より低いスターティングセル（２１、２２）との重なり百分率を有するセルを第二システムの近隣セル（３１、３２、３３）の中から判別するために、計算手段（１１）の比較モジュール（１１１）を備えることができる。
図１の例において、近隣セル（３３）は、スターティングセル（２１、２２）にわずかな面積（Ｒ３）しか重ならない。
スターティングセル（２２）に対するこの近隣セル（３３）の重なり百分率は、例えば、５％の値にパラメータ化された、前記百分率限界値（６０）未満であるので、このセル（３３）は候補セル（３１、３２）リストから排除される。
比較は、真の面積の間で、あるいは加重面積の間で実現することもできる。
【００６０】
本発明の実施態様において、加重は、とりわけ地上に依存するので、地上の等級、また場合によっては流れの軸の種別によって変動するトラフィックの現実の分布を考慮に入れることが可能になる。
この加重は、例えば、後述のごとく、加重マトリクスの形を呈する記憶手段（１０）の中に保存されたファイルから得られる。
【００６１】
【表１】
2006014320.tif 000003
【００６２】
図５を参照して、対話手段（１００）によって表示されたパラメータ化ウィンドウ（６）は、使用者が到着セル（３１、３２）の選択を絞り込むのを可能にする。
本発明の推奨実施態様において、第二選択手段（１５）は、レイヤーまたは周波数帯の優先レベル（７０、７１、７２）を候補セル（３１、３２）の中から判別するように構成される。
計算パラメータ構成ファイル（１０４）は、周波数帯のそれぞれについて、これらの優先レベル（７０、７１、７２）を表す計算パラメータの保存を備えている。
計算手段（１１）は、計算パラメータ構成ファイル（１０４）の特定のパラメータ、とりわけこれらの優先レベル（７０、７１、７２）に応じて到着セル（３１、３２）を所定の仕方で分類することができる。
【００６３】
スターティングセル（２１、２２）の選択を至適化するために、対応するベストサーバーセル（Ｃ１）に対してフィールドレベルが低すぎるセカンドベストサーバーセル（Ｃ２）を考慮に入れないのが有利かもしれない。
実際、かかるサーバーセル（Ｃ２）は、実際には無線端末によってほとんど全く選択されることはない。
前記ベストサーバーセル（Ｃ１）と前記セカンドベストサーバーセル（Ｃ２）の間のフィールドレベルの差は、したがって、低すぎるセル（Ｃ２）の判別に使用できる。
このため、第一選択手段（１２）は、第一に、対応するベストサーバーセルとセカンドベストサーバーセル（Ｃ１、Ｃ２）を予備選択し、第二に、このフィールドレベルの差を計算パラメータ構成ファイル（１０４）内にパラメータ化された所定のオフセットの最大限界値（６３）と比較するために、情報収集手段（１４）によって収集された位置と周波数帯のデータを使用するのに適している。
計算手段（１１）の比較モジュール（１１１）は、比較のために第一選択手段（１２）に供される。
ネットワーク（４）のそれぞれの区域（Ａ）についてのフィールドレベルの差は、階層表（Ｔ）に転記することができる。
第一選択手段（１２）は、この最大限界値（６３）を越える場合に、ベストサーバーセル（Ｃ１）しかスターティングセル（２１、２２）として選択しないように構成される。
【００６４】
同様にして、比較モジュール（１１１）は、同一周波数帯のベストサーバーセル（Ｃ１）とセカンドベストサーバーセル（Ｃ２）の間のフィールドレベルの差を、計算パラメータ構成ファイル（１０４）内にパラメータ化された所定の第二最大限界値（６４）と比較して、セカンドベストサーバーセル（Ｃ２）を候補セル（３１、３２）の中から判別するために、第二選択手段（１５）によって用いられることができる。
図５に示したごとく、計算パラメータ構成ファイル（１０４）は、候補セル（３１、３２）のリストを所定の限界数（６５）に制限するための制限パラメータを含むことができる。
発生モジュール（１１０）は、例えば、この制限パラメータを所定の数の候補セル（３１、３２）を有するリストを提供するために用いる。
相互システムハンドオーバーを決定するために、あまりに大きな数の候補セル（３１、３２）を求めることは、結局、有益ではないこともあり得る。
【００６５】
他方で、計算パラメータ構成ファイル（１０４）は、スターティングセル（２１、２２）に対して共通場所または共通区分セルの選択パラメータ（６０１）を有することもできる。
なぜなら、近隣するもの（３１、３２、３３）の他にも、ＧＳＭとＵＭＴＳの基地局（４０）をまとめた同一の場所から発生したセルを選択することが有益だからである。
かかるセルの保存に、共通区分角度（６７）または共通場所距離（６８）などのパラメータを考慮に入れることもできる。
このように、発生モジュール（１１０）は、第二システムに属し、スターティングセル（２１、２２）と同じ送受信場所または区分から出たセルを、候補セル（３１、３２）のリストに挿入することを可能にする。
基地局（４０）がＧＳＭシステムのセル（２０）とＵＭＴＳシステムのセル（３０）の同時発生を可能にする場合は、図２の実施例に図示されている。
計算パラメータ構成ファイル（１０４）は、候補セル（３１、３２）を発生する場所または区分と無線端末の位置（Ｐ）との間に関する第一選択パラメータ（６９）も含んでいる。
この第一選択パラメータ（６９）は、一つまたは複数個の到着セルを選択するための第二選択手段（１５）によって考慮されることもできる。
【００６６】
次に、本発明による方法の手順を、図４および図５を参照して説明する。
【００６７】
世代の異なるシステム間の接続の自動切換のパラメータ化を可能にするための、２Ｇ−３Ｇ近傍計算を目的とする本発明による方法は、複数の無線セルを定義するための周波数帯によるネットワーク（４）の切り分けを含むモデル化予備過程から成る。
図４に示したごとく、該方法は、ベストサーバーセル（Ｃ１）と少なくともセカンドベストサーバーセル（Ｃ２）のデータを、それぞれの周波数帯について、階層表（Ｔ）内に生成するために、情報機器（１）によって記憶されたネットワークの受信範囲データを用いる階層化過程（５１）を備えている。
階層化過程（５１）は、それぞれの周波数帯について、ベストサーバーセル（Ｃ１）の第一デジタル地図（Ｍ１）とセカンドベストサーバーセル（Ｃ２）の第二デジタル地図（Ｍ２）を作成する過程（５１０）から成り、前記第一地図と第二地図（Ｍ１、Ｍ２）は、重なりのない別個の区域（Ａ）への切り分けを含んでいる。
したがって、該方法は、所与の周波数帯について、ベストサーバーセル（Ｃ１）とセカンドベストサーバーセル（Ｃ２）の唯一の対をネットワーク（４）の任意の点に組み合わせることを可能にする。
【００６８】
計算パラメータ構成ファイル（１０４）の計算パラメータの入力または選択のために、構成過程（５２）も備えられる。
近傍計算を開始する前に、デュアルモード無線携帯端末によって、第一システム内で用いられる無線セル区域（Ａ）と「ソース」周波数帯の決定過程を、まず実現しなければならない。
それに続く選択過程（５４）で、この区域（Ａ）と所定の「ソース」周波数帯に対応する少なくとも一つのスターティングセル（２１、２２）を、階層表（Ｔ）内で選択する。スターティングセルの選択過程（５４）は、所定の「ソース」周波数帯と端末が位置する区域（Ａ）とに対応するベストサーバーセル（Ｃ１）と少なくともセカンドベストサーバーセル（Ｃ２）を、階層表（Ｔ）内で予備選択することから始まる。
スターティングセルの選択は、予備選択したセルのフィールドレベルが所定の第一最大限界値（６１）と比較される中間過程（５４０）の終了後にしか実現されない。
スターティングセル（２１、２２）の選択は、セルがこの第一最大限界値（６１）を越えるフィールドレベルを持たないときには、失敗する可能性がある。
【００６９】
くわえて、所定のオフセットの第一最大限界値と比較する第一過程（５４１）は、予備選択されたベストサーバーセル（Ｃ１）とセカンドベストサーバーセル（Ｃ２）の間のフィールドレベルの差について、実現される。
この最大限界値（６３）を越えることによって、セカンドベストサーバーセル（Ｃ２）の除去過程（５４２）が起動されて、ベストサーバーセル（Ｃ１）がスターティングセル（２１、２２）として選択されるようにする。
【００７０】
いわゆる近傍計算は、つぎに、第二システムに属し、一つまたは複数の選択したスターティングセル（２１、２２）に近隣する候補セル（３１、３２）のリストを、階層表（Ｔ）から生成する生成過程（５５）で始まる。
図４に示したごとく、候補セル（３１、３２）のリストの生成過程（５５）は、第二システムの近隣セル（３１、３２、３３）のそれぞれについて、スターティングセル（２１、２２）との重なり面積の計算過程（５５０）から成る。
前記生成過程（５５）は、対象近隣セル（３１、３２、３３）に組み合わされたゲオマーケティングデータに応じて、重なり面積の加重過程（５５２）も含んでいる。
ゲオマーケティングデータは、地上の種別および／またはセル内のトラフィック密度の影響も備えている。
【００７１】
本発明の実施態様において、候補セル（３１、３２）のリストの生成過程（５５）は、さらに、構成過程（５２）の際にスターティングセル（２１、２２）との重なり百分率がパラメータ化された百分率未満である第二システムの近隣セル（３１、３２、３３）の判別過程（５５１）から成る。
この過程は、重なり面積の計算過程（５５０）の後に、あるいは変型例においては、加重過程（５５２）の後に実現可能であり、百分率限界値（６０）は、スターティングセル（２１、２２）で加重された面積の重なり百分率と比較される。
変型実施態様において、候補セル（３１、３２）のリストの生成過程（５５）は、第二システムに属し、スターティングセル（２１、２２）と同じ送受信場所または区分から出たセルの検出過程（５５３）からも成る。
【００７２】
図４において、前記第二システムが異なる周波数帯を備えているとき、優先定義過程（７）は、周波数帯の間の優先レベル（７０、７１、７２）を考慮に入れることを可能にする。
優先レベル（７０、７１、７２）は、少なくとも一つの到着セルを候補セル（３１、３２）のリストの中から選択する選択過程（５６）の際に選択基準に用いるために、この第二システムの周波数帯のそれぞれに組み合わされる。
到着セルの選択の際に、一つまたは複数の選択基準が考慮に入れられる。
優先レベル（７０、７１、７２）は、構成過程（５２）の際にパラメータとして入力可能であり、優先定義過程（７）は、例えば、到着セルを所定の順序に分類するために、あるいは優先周波数帯に組み合わされた到着セルを選択するために、これらの優先レベル（７０、７１、７２）の計算を起動する選択基準に対応することができる。
【００７３】
図４の実施態様において、到着セルの選択過程（５６）は、候補の一つのフィールドレベルが前記第二限界値（６２）を越えるときだけ到着セルの選択に到るように、これらの候補のそれぞれのフィールドレベルを所定の第二限界値（６２）と比較して、候補セル（３１、３２）の確定過程を含んでいる。
到着セルの選択過程（５６）は、前記候補セル（３１、３２）リストから抽出したベストサーバーセル（Ｃ１）とセカンドベストサーバーセル（Ｃ２）の間のフィールドレベルの差を、所定のオフセットの第二最大限界値（６４）と比較するための前記第二システムの少なくとも一つの周波数帯に関する第二比較過程（５６１）も備えることができる。
この第二最大限界値（６４）を超えると被選択基準に該当するので、このセカンドベストサーバーセル（Ｃ２）の除去過程（５６２）が引き起こされる。
【００７４】
本発明の利点の一つは、第三世代のシステム内の受信範囲のホールの問題に対する最適な解決を提供することである。
本発明は、既存の異なるレイヤー（ＧＳＭシステムの場合は３レイヤー）を考慮に入れて、ネットワークの３Ｇ部分から２Ｇ部分への切換を切れ目なしに実現する可能性を与えるものである。
【００７５】
本発明は、無線セルの品質に対して適切な過重を考慮に入れて、相互システムハンドオーバーのためのパラメータ化に支援ツールを提供する。
このように本発明は、第三世代のシステムの展開の際にネットワークの受信保証の必要を満たそうとするものである。
【００７６】
当業者には自明のごとく、本発明は数多くの特殊な形の実施態様を許容するものであり、それをもって請求された本発明の用途分野を逸脱することはできない。
結果として、本実施態様は、例示とみなされなければならず、付属の請求の範囲に定義された分野で変更が可能であり、また本発明は上述の詳細に限定されてはならない。
【図面の簡単な説明】
【００７７】
【図１】本発明による情報機器と、世代の異なるシステムのセルの間の重なりを図示する地図の概略図
【図２】本発明の教示によるハンドオーバーを必要とする状況の一例を示す図
【図３】ネットワークの定義された無線セル区域について、ベストおよびセカンドベストサーバーセルを、それぞれの周波数帯について転記した階層表
【図４】本発明の一つの実施態様における方法の過程の論理図
【図５】計算パラメータの入力と選択を可能にするウィンドウの図
【符号の説明】
【００７８】
１  情報機器
４  ネットワーク
６  パラメータ化ウィンドウ
７  優先定義過程
１０  記憶手段
１１  計算手段
１２  第一選択手段
１３  作表手段
１４  情報収集手段
１５  第二選択手段
２０  スターティングセル
３０  セル
４０  基地局
４１  送受信手段
５０  モデル化予備過程
５１  階層化過程
５２  構成過程
５３  決定過程
５４  選択過程
５５  生成過程
５６  選択過程
６０  百分率限界値
６１  第一最大限界値
６２  第二限界値
６３  最大限界値
６４  第二最大限界値
６５  限界数
６６  最小フィールドレベル
６７  共通区分角度
６８  共通場所距離
６９  第一選択パラメータ
７０〜７２  優先レベル
１００  対話手段
１０１  第一メモリ
１０２  第二メモリ
１０３  第三メモリ
１０４  計算パラメータ構成ファイル
１１０  発生モジュール
１１１  比較モジュール
５０２  第二パラメータ化過程
５１０  作成過程
５４０  中間過程
５４１  第一過程
５４２  除去過程
５５０  計算過程
５５１  判別過程
５５２  加重過程
５５３  検出過程
５６０  確定過程
５６１  第二比較過程
５６２  除去過程
６００  加重オプション
【図１】
2006014320.tif 000004
【図２】
2006014320.tif 000005
【図３】
2006014320.tif 000006
【図４】
2006014320.tif 000007
【図５】
2006014320.tif 000008